(57)【要約】【課題】  必要十分な配電工事情報を、迅速かつ簡単に抽出する。【解決手段】  制御部２は、関連保留工事情報抽出処理で、電柱選択要求画面が表示部５に表示された状態で、指示選択された指示位置情報と、半径選択要求画面が表示部５に表示された状態で、指示選択された指示位置情報とに基づいて、選択された代表電柱の位置情報と、選択された集約範囲とを特定し、配電工事情報データベースを検索して、特定された集約範囲内に該当する電柱がある保留中の工事の設計書情報を抽出する。【選択図】  図１
2010191675.tif 000002
【特許請求の範囲】
【請求項１】
配電設備の設置位置を示す位置情報と、施工状況情報とを含む配電工事情報が記憶された配電工事情報記憶手段と、第１の配電工事情報に対応する第１の配電設備を選択する配電設備選択手段と、選択された前記第１の配電設備の設置位置を含む抽出範囲を選択する抽出範囲選択手段と、前記抽出範囲内に設置され、前記第１の配電設備とは別の第２の配電設備に対応し、保留中の第２の配電工事情報を、前記配電工事情報記憶手段を検索して抽出する配電工事情報抽出手段とを備えた
ことを特徴とする配電情報管理装置。
【請求項２】
表示手段に、地図画像とともに、配電設備を示す配電設備図形を、設置位置に対応した前記地図画像上の所定の位置に、表示させる表示制御手段を備え、前記配電設備選択手段は、前記表示手段に表示された前記配電設備図形を指示選択するために用いられることを特徴とする請求項１に記載の配電情報管理装置。
【請求項３】
前記配電設備選択手段は、複数の前記第１の配電設備を選択することを特徴とする請求項１又は２に記載の配電情報管理装置。
【請求項４】
前記施工状況情報は、対応する配電工事が準備完了か否かの情報を含み、前記配電工事情報記憶手段を検索して、抽出された前記保留中の第２の配電工事情報のうち、準備完了の前記第２の配電工事情報を選別する配電工事情報選別手段を備えたことを特徴とする請求項１、２又は３に記載の配電情報管理装置。
【請求項５】
前記施工状況情報は、対応する配電工事が停電を伴うか否かの情報と、停電範囲情報とを含み、前記抽出範囲選択手段は、対応する配電工事が停電を伴う場合に、その停電範囲を含むように前記抽出範囲を選択し、前記配電工事情報抽出手段は、停電範囲が前記停電範囲に含まれる前記第２の配電工事情報を、前記配電工事情報記憶手段を検索して抽出することを特徴とする請求項１乃至４のいずれか１に記載の配電情報管理装置。
【請求項６】
第１の配電工事情報に対応する第１の配電設備を選択する配電設備選択ステップと、選択された前記第１の配電設備の設置位置を含む抽出範囲を選択する抽出範囲選択ステップと、前記抽出範囲内に設置され、前記第１の配電設備とは別の第２の配電設備に対応し、保留中の第２の配電工事情報を、配電設備の設置位置を示す位置情報、及び施工状況情報を含む配電工事情報が記憶された配電工事情報記憶手段を検索して抽出する配電工事情報抽出ステップとを含む
ことを特徴とする配電情報管理方法。
【発明の詳細な説明】
【技術分野】
【０００１】
この発明は、例えば、配電工事を効率的に実施するための配電情報管理装置及び配電情報管理方法に関する。
【背景技術】
【０００２】
従来より、配電設備において、緊急工事が発生した場合には、この緊急工事箇所の近傍で、現在保留中となっている工事を探し出し、緊急工事と一緒に実施して、手戻りを少なくする方法がとられている。こうした保留工事の選択は、設計書情報を手動で抽出して行っている。しかしながら、設計書情報は、膨大な量にのぼるため、抽出に時間がかかるとともに、経験豊富な熟練者でなければ、その抽出も施工順位の決定も的確にできないという問題があった。一方、配電地図情報として、地図画像とともに、電柱等の配電設備を示す図形（シンボル）を表示部に表示させる配電地図情報システムが、例えば、行程管理等のために用いられている。なお、地図上に、他の情報を重ねて表示させる例として、地図データ上に、商品データ及び販売位置データを重ね合わせて表示させる技術や、地図データ上に、被害発生地域を重ね合わせて表示させる技術が提案されている（例えば、特許文献１、特許文献２参照。）。
【先行技術文献】
【特許文献】
【０００３】
【特許文献１】特開２００７−２６０２３号公報
【特許文献２】特許第２８２６０３０号公報
【発明の概要】
【発明が解決しようとする課題】
【０００４】
しかしながら、上記従来技術では、例えば、電柱番号をもとに、設計書情報の検索が可能であるが、近傍のエリア内の工事の設計書情報を抽出しようとすると、依然として、時間がかかるとともに、経験豊富な熟練者でなければ、的確な抽出ができない。
【０００５】
この発明は、前記の課題を解決し、必要十分な配電工事情報を、迅速かつ簡単に抽出することができる配電情報管理装置及び配電情報管理方法を提供することを目的としている。
【課題を解決するための手段】
【０００６】
前記の課題を解決するために、請求項１の発明に係る配電情報管理装置は、配電設備の設置位置を示す位置情報と、施工状況情報とを含む配電工事情報が記憶された配電工事情報記憶手段と、第１の配電工事情報に対応する第１の配電設備を選択する配電設備選択手段と、選択された前記第１の配電設備の設置位置を含む抽出範囲を選択する抽出範囲選択手段と、前記抽出範囲内に設置され、前記第１の配電設備とは別の第２の配電設備に対応し、保留中の第２の配電工事情報を、前記配電工事情報記憶手段を検索して抽出する配電工事情報抽出手段とを備えたことを特徴とことを特徴としている。
【０００７】
請求項１の発明では、配電設備選択手段が、第１の配電工事情報に対応する第１の配電設備を選択し、抽出範囲選択手段が、選択された前記第１の配電設備の設置位置を含む抽出範囲を選択し、配電工事情報抽出手段が、前記抽出範囲内に設置され、前記第１の配電設備とは別の第２の配電設備に対応し、保留中の第２の配電工事情報を、前記配電工事情報記憶手段を検索して抽出する。
【０００８】
請求項２の発明は、請求項１に記載の配電情報管理装置であって、表示手段に、地図画像とともに、配電設備を示す配電設備図形を、設置位置に対応した前記地図画像上の所定の位置に、表示させる表示制御手段を備え、前記配電設備選択手段は、前記表示手段に表示された前記配電設備図形を指示選択するために用いられることを特徴としている。
【０００９】
請求項３の発明は、請求項１又は２に記載の配電情報管理装置であって、前記配電設備選択手段は、複数の前記第１の配電設備を選択することを特徴としている。
【００１０】
請求項４の発明は、請求項１、２又は３に記載の配電情報管理装置であって、前記施工状況情報は、対応する配電工事が準備完了か否かの情報を含み、前記配電工事情報記憶手段を検索して、抽出された前記保留中の第２の配電工事情報のうち、準備完了の前記第２の配電工事情報を選別する配電工事情報選別手段を備えたことを特徴としている。
【００１１】
請求項５の発明は、請求項１乃至４のいずれか１に記載の配電情報管理装置であって、前記施工状況情報は、対応する配電工事が停電を伴うか否かの情報と、停電範囲情報とを含み、前記抽出範囲選択手段は、対応する配電工事が停電を伴う場合に、その停電範囲を含むように前記抽出範囲を選択し、前記配電工事情報抽出手段は、停電範囲が前記停電範囲に含まれる前記第２の配電工事情報を、前記配電工事情報記憶手段を検索して抽出することを特徴としている。
【００１２】
請求項６の発明に係る配電情報管理方法は、第１の配電工事情報に対応する第１の配電設備を選択する配電設備選択ステップと、選択された前記第１の配電設備の設置位置を含む抽出範囲を選択する抽出範囲選択ステップと、前記抽出範囲内に設置され、前記第１の配電設備とは別の第２の配電設備に対応し、保留中の第２の配電工事情報を、配電設備の設置位置を示す位置情報、及び施工状況情報とを含む配電工事情報が記憶された配電工事情報記憶手段を検索して抽出する配電工事情報抽出ステップとを含むことを特徴としている。
【発明の効果】
【００１３】
請求項１の発明によれば、第１の配電工事情報に対応する第１の配電設備を選択し、選択された第１の配電設備の設置位置を含む抽出範囲を選択し、抽出範囲内に設置され、第１の配電設備とは別の第２の配電設備に対応し、保留中の第２の配電工事情報を、配電工事情報記憶手段を検索して抽出するので、必要十分な配電工事情報を、迅速かつ簡単に抽出することができる。
【００１４】
請求項２の発明によれば、表示制御手段が、表示手段に、地図画像とともに、配電設備を示す配電設備図形を、設置位置に対応した地図画像上の所定の位置に表示させ、配電設備選択手段によって、表示手段に表示された配電設備図形を指示選択するので、配電工事情報を、簡単に抽出することができる。
【００１５】
請求項３の発明によれば、配電設備選択手段は、複数の第１の配電設備を選択するので、例えば、移動経路に沿って保留中の工事を的確に抽出することができる。
【００１６】
請求項４の発明によれば、配電工事情報選別手段は、配電工事情報記憶手段を検索して、抽出された保留中の第２の配電工事情報のうち、準備完了の第２の配電工事情報を選別するので、必要十分な配電工事情報を、自動的に選別することができる。
【００１７】
請求項５の発明によれば、抽出範囲選択手段は、対応する配電工事が停電を伴う場合に、その停電範囲を含むように抽出範囲を選択し、配電工事情報抽出手段は、停電範囲が第１の配電設備に対応する工事の停電範囲に含まれる第２の配電工事情報を、配電工事情報記憶手段を検索して抽出するので、抽出範囲及び必要十分な配電工事情報の選別を自動的に行うことができる。
【００１８】
請求項６の発明によれば、第１の配電工事情報に対応する第１の配電設備を選択し、選択された第１の配電設備の設置位置を含む抽出範囲を選択し、抽出範囲内に設置され、第１の配電設備とは別の第２の配電設備に対応し、保留中の第２の配電工事情報を、配電工事情報記憶手段を検索して抽出するので、必要十分な配電工事情報を、迅速かつ簡単に抽出することができる。
【図面の簡単な説明】
【００１９】
【図１】この発明の実施の形態１による配電情報管理装置の構成を示すブロック図である。
【図２】同配電情報管理装置の記憶部の構成を示すブロック図である。
【図３】同配電情報管理装置の表示部の画面表示例を示す図である。
【図４】同配電情報管理装置の表示部の画面表示例を示す図である。
【図５】同配電情報管理装置の表示部の画面表示例を示す図である。
【図６】同配電情報管理装置の表示部の画面表示例を示す図である。
【図７】同配電情報管理装置の表示部の画面表示例を示す図である。
【図８】同配電情報管理装置の表示部の画面表示例を示す図である。
【図９】同配電情報管理装置の動作を説明するための処理手順図である。
【図１０】この発明の実施の形態２による配電情報管理装置の表示部の画面表示例を示す図である。
【図１１】この発明の実施の形態３による配電情報管理装置の動作を説明するための処理手順図である。
【図１２】この発明の実施の形態１の変形例による配電情報管理装置の動作を説明するための処理手順図である。
【発明を実施するための形態】
【００２０】
次に、この発明の実施の形態について、図面を用いて詳しく説明する。
【００２１】
（実施の形態１）
図１は、この発明の実施の形態１による配電情報管理装置の構成を示すブロック図、図２は、同配電情報管理装置の記憶部の構成を示すブロック図、図３乃至図８は、同配電情報管理装置の表示部の画面表示例を示す図、図９は、同配電情報管理装置の動作を説明するための処理手順図である。
【００２２】
この発明の実施の形態１による配電情報管理装置１は、図１に示すように、所定の制御プログラムに従って構成各部を制御する制御部２と、各種制御プログラムやデータが記憶される記憶部３と、キーボードやマウス等からなる入力部４と、配電地図情報等を表示する表示部５とを備えている。制御部２は、ＣＰＵ（Ｃｅｎｔｒａｌ  Ｐｒｏｃｅｓｓｉｎｇ  Ｕｎｉｔ）等からなり、記憶部３に記憶された所定の制御プログラムに従って構成各部を制御し、表示制御処理や、操作制御処理、関連保留工事情報抽出処理、工事情報集約処理等を実行する。
【００２３】
表示制御処理は、表示部５に表示情報を送って、図３に示すように、配電地図情報（地図画像及び電柱等の配電設備を示す図形（シンボル））に重ねて、代表電柱の選択を促す電柱選択要求画面５ａを表示させる処理と、図４に示すように、配電地図情報に重ねて、集約半径の指定を促す半径選択要求画面５ｂを表示部５に表示させる処理と、図５及び図６に示すように、集約範囲５ｐ及び該当する電柱５ｇ，５ｒがマーキングされた配電地図情報に重ねて、設計書リスト化指示を促すリスト化要求画面５ｃを表示部５に表示させる処理と、図７に示すように、配電地図情報に重ねて、検索抽出された設計書のなかからさらに選択を促す設計書選択要求画面５ｄ及び集約指示を促す集約指示要求画面５ｅを表示部５に表示させる処理と、図８に示すように、集約された設計書情報を集約表５ｆとして表示部５に表示させる処理とを含んでいる。
【００２４】
制御部２は、操作制御処理で、入力部４のマウスからの操作情報に基づいて、マウスポインタ（マウスカーソル）の現在位置（例えば、矢印の先端位置）を示す指示位置情報と、選択を確定する選択入力情報（クリック操作情報）とを生成する。
【００２５】
制御部２は、関連保留工事情報抽出処理で、電柱選択要求画面５ａが表示部５に表示された状態で、指示選択された指示位置情報と、半径選択要求画面５ｂが表示部５に表示された状態で、指示選択された指示位置情報とに基づいて、選択された代表電柱の位置情報と、選択された集約範囲とを特定し、後述する配電工事情報データベース１２を検索して、特定された集約範囲内に該当する電柱がある保留中の工事の設計書情報を抽出する。
【００２６】
制御部２は、工事情報集約処理で、設計書選択要求画面５ｄ及び集約指示要求画面５ｅが表示部５に表示された状態で、生成された指示位置情報及び選択入力情報に基づいて、例えば、「ＯＫ」が指示選択されたと判断すると、設計書選択要求画面５ｄにおいて選択された設計書情報を集約し、集約表５ｆを作表する。
【００２７】
記憶部３は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなっている。記憶部３は、図２に示すように、表示制御処理プログラム等の各種プログラムを記憶するプログラム記憶部７と、各種情報を記憶する情報記憶部８とを有している。情報記憶部８は、配電地図情報データベース９と、配電設備情報データベース１１と、配電工事情報データベース１２とを有している。配電地図情報データベース９には、配電地図情報が記憶されている。配電設備情報データベース１１には、電柱や、架線等の配電設備に関する配電設備情報が記憶されている。配電設備情報は、配電設備の識別子としての設備ＩＤと、配電設備の設置位置（緯度、経度）を示す位置情報と、工事履歴情報とを含んでいる。配電工事情報データベース１２には、交付済みの設計書情報を含む配電工事情報が記憶されている。各設計書情報は、工事概要と、設備ＩＤとしての例えば電柱番号と、配電設備の設置位置としての例えば電柱位置（緯度、経度）と、施工状況情報（竣工済み工事、実施中工事、保留中工事等）とを含んでいる。
【００２８】
次に、この実施の形態の配電情報管理方法について詳述する。まず、制御部２は、図３に示すように、配電地図情報（地図画像及び電柱等の配電設備を示す図形（シンボル））に重ねて、代表電柱の選択を促す電柱選択要求画面５ａを表示させる（ステップＳＡ１１（図９）。
【００２９】
次に、制御部２は、電柱選択要求画面５ａが表示部５に表示された状態で、入力部４を介して、緊急工事に対応する所定の電柱（第１の配電設備）が指示選択され、かつ、「ＯＫ」が指示選択されると、指示選択された指示位置情報に基づいて、選択された代表電柱の位置情報を特定し、記憶部３に記憶させる（ステップＳＡ１２）。なお、代表電柱が選択される時点で、緊急工事に対応する例えば設計書情報（第１の配電工事情報）は、必ずしも配電工事情報データベース１２に記憶されていなくても良い。次に、制御部２は、図４に示すように、半径選択要求画面５ｂが表示部５に表示された状態で、集約半径が指示選択され、かつ、「ＯＫ」が指示選択されると、指示選択された指示位置情報に基づいて、選択された集約範囲（抽出範囲）を特定し、記憶部３に記憶させる（ステップＳＡ１３）。
【００３０】
次に、制御部２は、特定された代表電柱の位置情報と、集約範囲とに基づいて、配電工事情報データベース１２を検索して、特定された集約範囲内に該当する電柱（第２の配電設備）がある保留中の工事の設計書情報（第２の配電工事情報）を抽出する。
【００３１】
次に、制御部２は、図５に示すように、特定した集約範囲５ｐを表示部５に網掛表示させた後、図６に示すように、集約範囲５ｐ及び該当する電柱５ｇ，５ｒがマーキングされた配電地図情報に重ねて、設計書リスト化指示を促すリスト化要求画面５ｃを表示部５に表示させる（ステップＳＡ１４）。
【００３２】
次に、制御部２は、図６に示すように、抽出要求画面５ｃが表示部５に表示された状態で、生成された指示位置情報及び選択入力情報に基づいて、例えば、「ＯＫ」が指示選択されたと判断すると、図７に示すように、配電地図情報に重ねて、検索抽出された設計書のなかからさらに選択を促す設計書リストとしての設計書選択要求画面５ｄ及び集約指示を促す集約指示要求画面５ｅを表示部５に表示させる（ステップＳＡ１５）。設計書選択要求画面５ｄは、件名番号、電柱番号、担当者、工事会社、竣工指定日、工事量、及び選択対象の各欄を含んでいる。
【００３３】
次に、制御部２は、ステップＳＡ１６で、設計書選択操作の有無を判断し、設計書選択操作があった場合は、ステップＳＡ１７へ進み、なかった場合には、処理を終了する。ステップＳＡ１７では、制御部２は、設計書選択要求画面５ｄ及び集約指示要求画面５ｅが表示部５に表示された状態で、生成された指示位置情報及び選択入力情報に基づいて、例えば、「ＯＫ」が指示選択されたと判断すると、設計書選択要求画面５ｄにおいて選択された設計書情報を集約し、集約表５ｆを作表し、図８に示すように、表示部５に表示させる（ステップＳＡ１８）。
【００３４】
こうして、この実施の形態の構成によれば、必要十分な（過不足ない）設計書情報を、迅速かつ簡単に抽出することができる。すなわち、無駄な情報は除外して、必要な情報は確実に高精度に抽出することができる。したがって、保留中工事の設計書情報を、必要な情報のみ確実に、集約することができるので、発生した緊急工事に合わせて、この緊急工事と現場が近い等同時に実施すべき保留中の工事を実施して、無駄な繰返しや手戻り無く効率的に保留中工事を実施することができる。このため、時間を節約し、迅速なサービスを提供することができるとともに、労務費や材料費を低減することができる。また、誰でも簡単に、熟練者と変わらず、かつ、迅速かつ的確に保留中の工事設計書を抽出することができる。
【００３５】
（実施の形態２）
図１０は、この発明の実施の形態２による配電情報管理装置の表示部の画面表示例を示す図である。この実施の形態の構成が上述した実施の形態１の構成と大きく異なるところは、電柱が複数選択され、かつ、集約範囲として、半径に代えて経路（例えば、道路）に対して両側方へ所定幅の範囲を指定するように構成した点である。ここで、選択される電柱は、緊急工事に対応する複数の電柱又は緊急工事に対応する単一の電柱へ至る経路上の電柱を含んでいる。
【００３６】
実施の形態１の図６に対応する図１０に示すように、複数の電柱５ｔ，５ｔ，…を選択して、経路を指定するとともに、経路の両側方の幅を指定して、経路を含む保留中の工事の集約範囲５ｓを指定する。
【００３７】
この実施の形態の構成によれば、上述した実施の形態１と略同様の効果を得ることができる。加えて、例えば、緊急工事に対応する単一の電柱へ至る経路上の電柱を選択することによって、移動経路に沿って保留中の工事を効率的に実施することができる。
【００３８】
（実施の形態３）
図１１は、この発明の実施の形態３による配電情報管理装置の動作を説明するための処理手順図である。この実施の形態の構成が上述した実施の形態１の構成と大きく異なるところは、実施可能な保留工事の選択及び施工順位の決定を自動的に行うように構成した点である。
【００３９】
この実施の形態では、配電工事情報データベースには、交付済みの設計書情報を含む配電工事情報が記憶されている。各設計書情報は、工事概要と、設備ＩＤとしての例えば電柱番号と、配電設備の設置位置としての例えば電柱位置（緯度、経度）と、施工状況情報（竣工済み工事、実施中工事、保留中工事等）とを含んでいる。保留中工事は、準備完了工事、又は準備中工事に分けて示されている。配電工事情報データベースには、各設計書情報が、常に更新された状態で記憶されている。
【００４０】
この実施の形態の配電情報管理装置において、制御部は、まず、指定範囲内の保留中工事の設計書情報を抽出する（ステップＳＢ１１（図１１）。このステップＳＢ１１は、実施の形態１におけるステップＳＡ１１〜ステップＳＡ１５に対応している。次に、制御部は、配電工事情報データベースを検索し、保留中の工事設計書のうち、準備完了の工事設計書を選択する（ステップＳＢ１２）。
【００４１】
次に、制御部は、各工事において、対応する電柱位置を特定し、最も移動距離が短い経路（最適ルート）を選定する（ステップＳＢ１３）。次に、制御部は、選定した最適ルートに沿って、対応する電柱がある工事を選定し、工事施工順位を決定する（ステップＳＢ１４）。次に、制御部は、決定した施工順に、工事設計書を並べた設計書リストを、表示部５に表示させる（ステップＳＢ１５）。
【００４２】
この実施の形態の構成によれば、上述した実施の形態１と略同様の効果を得ることができる。加えて、実施可能な保留工事の選択及び施工順位の決定を自動的に行うことができるので、一段と迅速に、必要十分な設計書情報を抽出することができる。
【００４３】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、配電情報管理装置において、表示制御処理や、操作制御処理、関連保留工事情報抽出処理、工事情報集約処理等を、制御部が、対応する制御プログラムを実行することによって行う場合について述べたが、一部又は全部を専用のハードウェアを用いて行い、他の一部を対応するプログラムを実行して処理するようにしても良い。また、それぞれ別々のＣＰＵが実行しても良いし、例えば、単一のＣＰＵが実行しても良い。さらに、各処理を別々の情報処理装置が行うようにしても良い。
【００４４】
また、配電地図情報データベース、配電設備情報データベース、配電工事情報データベースは、それぞれ、配電地図情報データベースサーバ、配電設備情報データベースサーバ、配電工事情報データベースサーバとして独立させて、例えば、ネットワークを介して配電情報管理装置に接続しても良い。また、配電地図情報データベースに、配電地図情報として、地図画像情報に配電設備図形を含めて記憶させる場合について述べたが、地図画像情報と、配電設備図形情報とを別々に記憶させて、例えば、地図画像情報を表示させた後に、表示中の地図画像上の対応する位置に配電設備図形を表示させるようにしても良い。
【００４５】
また、実施の形態１で、緊急工事が、停電を伴う場合には、集約範囲を当該停電範囲を含むように自動的に設定するようにしても良い。例えば、図１２に示すように、ステップＳＣ１１で、制御部は、配電地図情報に重ねて、電柱選択要求画面を表示させる。次に、ステップＳＣ１２で、制御部は、電柱選択要求画面が表示部に表示された状態で、緊急工事に対応する所定の電柱が指示選択されると、代表電柱の位置情報を特定する。次に、ステップＳＣ１３で、制御部は、今回の緊急工事が停電を伴うか否か判定する。停電有りの場合は、ステップＳＣ１４へ進み、停電無しの場合は、ステップＳＣ１５へ進んで実施の形態１と同様の通常選定処理を行う。ステップＳＣ１４で、制御部は、当該停電範囲を含む集約範囲を自動的に指定する。ここで、制御部は、配電工事情報データベースを検索して、指定された集約範囲内に該当する電柱がある保留中の工事の設計書情報を抽出する。ステップＳＣ１６で、制御部は、集約範囲及び該当する電柱がマーキングされた配電地図情報を表示部に表示させる。次に、ステップＳＣ１７で、制御部は、その停電範囲が緊急工事の停電範囲に含まれる保留中工事を自動的に選択し、リスト表示させる。次に、ステップＳＣ１８で、制御部は、必要に応じて、手動により保留中工事のなかから追加選定する。ここで、選定対象工事は、他の停電工事や、非停電工事を含んでいても良い。次に、ステップＳＣ１９で、制御部は、選択された設計書情報を集約し、集約表を作表し、ステップＳＣ２０で、表示部に表示させる。なお、停電範囲に加えて、停電時間も考慮するようにしても良い。また、設計書リスト化指示を促すリスト化要求画面が表示部に表示された状態で、「ＯＫ」が選択されたときに、保留中工事の抽出を開始するようにしても良い。
【００４６】
また、実施の形態２で、経路に沿って複数の電柱を選択する場合について述べたが、経路としての道路を選択しても良い。また、実施の形態３で、配電工事情報データベースに、設計書情報毎に、工事概要と、電柱番号と、電柱位置と、施工状況情報のほか、標準施工時間を記憶させ、緊急工事発生時には、まず、総所要時間を設定して保留中工事を選定し、緊急工事と、各保留中工事の施工時間の総和と、移動時間との和が、略総所要時間となるように、対象保留中工事を自動的に選択するようにしても良い。この場合は、集約範囲の指定を行わなくても良い。また、保留工事を手動で設定する場合でも、選択した組み合わせで、総施工時間が所定の時間を越える場合に、選択を変更するように、報知するようにしても良いし、施工時間に余裕がある場合には、追加の指示をするように構成しても良い。また、複数の工事を同時に実施しても良い。
【産業上の利用可能性】
【００４７】
各工事を順に実施する場合のほか、複数の工事を同時に実施する場合に適用できる。
【符号の説明】
【００４８】
１  配電情報管理装置
２  制御部（配電設備選択手段の一部、抽出範囲選択手段の一部、配電工事情報抽出手段、表示制御手段、配電工事情報選別手段）
３  記憶部（配電工事情報記憶手段）
４  入力部（配電設備選択手段の一部、抽出範囲選択手段の一部）
５  表示部（表示手段）
【図１】
2010191675.tif 000003
【図２】
2010191675.tif 000004
【図３】
2010191675.tif 000005
【図４】
2010191675.tif 000006
【図５】
2010191675.tif 000007
【図６】
2010191675.tif 000008
【図７】
2010191675.tif 000009
【図８】
2010191675.tif 000010
【図９】
2010191675.tif 000011
【図１０】
2010191675.tif 000012
【図１１】
2010191675.tif 000013
【図１２】
2010191675.tif 000014